【手続補正書】
【提出日】平成17年1月17日(2005.1.17)
【手続補正１】
【補正対象書類名】明細書
【補正対象項目名】特許請求の範囲
【補正方法】変更
【補正の内容】
【特許請求の範囲】
【請求項１】
電気脱塩セルスタックに使用するガスケットであって、均一な厚さと、水溶液を前記ガスケット内に供給しかつこのガスケットから外に除去するマニホルド穴及び口とを持つガスケットにおいて、前記マニホルド穴の少なくとも若干により前記セルスタック内の他のガスケットに溶液を流れさせる導管を形成し、１つの連続流路に対する前記マニホルド穴の個数を最高で４個とし、前記ガスケットの活性区域に、このガスケットの内部に少なくとも１つの連続流路を形成するように、流れ制限部分により互いに連結した多数の流路部分を設け、これ等の各流路部分が、前記各流れ制限部分の幅より大きい幅を持ち、これ等の各流れ制限部分により前記連続流路を通って流れる流体の速度を、前記流れ制限部分内の前記流体の速度の約50ないし100％に減少させ、前記各連続流路は、前記各口のうちで前記連続流路への流体入口を形成する第１の口と、前記連続流路からの流体出口を形成する第２の口とを持ち、前記各口は前記ガスケットの厚さと実質的に同じ厚さを持ち、前記口は、前記ガスケットのこわさより高いこわさを持ち、前記ガスケットは、少なくとも１つの流体流路を間に持つ実質的に扁平な上面及び下面と、前記連続流路の流路部及び連結用の前記流れ制限部分に詰めたイオン交換材料とを備えて成るガスケット。
【請求項２】
前記イオン交換材料を、陽イオン樹脂ビードと、陰イオン樹脂ビードと、混合の樹脂ビードと、樹脂ビードを含む編みフェルトと、樹脂ビードを含む微小孔性フェルトと、樹脂ビードを含む編み布と、樹脂ビードを含む微小孔性布から成る群から選定した請求項１のガスケット。
【請求項３】
前記イオン交換材料をフェルト又は布から成る群から選定した請求項１のガスケット。
【請求項４】
前記フェルト又は前記布が緊密な編み材料又は微小孔性布材料内に樹脂ビードを含み、このような樹脂含有布材料を、前記ガスケットの流れ区域内に袋状に形成した請求項３のガスケット。
【請求項５】
前記各流路部分が約２ないし８インチの幅を持ち、これ等の流路部分に、前記連続流路を形成するように、前記流れ制限部分により相互に連結した１８０°の曲がり部を設け、１つの連続流路に対する前記マニホルド穴の個数を最大４個にした請求項１のガスケット。
【請求項６】
前記ガスケットは、電気脱塩スタックの濃縮物区画であり、前記流路部分及びその連結用流れ制限部分を持つ前記連続流路を覆うメッシュスペーサ手段を備えた請求項１のガスケット。
【請求項７】
前記口が、内部に連通路を持つと共に被覆板形状の前記上面及び下面を持つメッシュスペーサ手段である請求項１のガスケット。
【請求項８】
少なくとも一方の高分子シート表面に柔軟なエラストマー質表面層を持つ比較的剛性の高い高分子シートを備えた請求項２のガスケット。
【請求項９】
前記柔軟なエラストマー質表面層を前記高分子シートの両面に設けた請求項８のガスケット。
【請求項１０】
請求項２のガスケットのスタックを使い水性送給流れを脱塩するシステムにおいて、前記スタックを、一端部の陽極及び他端部の陰極と、これ等の陽極及び陰極間に希釈物セル及び濃縮物セルを逐次に形成する陽イオン膜及び陰イオン膜と、これ等の各膜間に位置させた、前記ガスケットのうちの少なくとも１枚のガスケットとにより構成したシステム。
【請求項１１】
前記イオン交換材料により砂糖溶液を脱塩するようにした請求項２のガスケット。
【請求項１２】
前記砂糖溶液を、デキストロース、フラクトース、しょ糖及びこれ等の混合物から成る群から選定した請求項１１のガスケット。
【請求項１３】
前記各流路部分が約２．５インチないし１０インチの範囲の幅を備えた請求項２のガスケット。
【請求項１４】
前記ガスケットに、２つないし６つの流路部分から成る少なくとも１つの連続流路を含めた請求項２のガスケット。
【請求項１５】
前記ガスケットに１つないし４つの連続流路を設けた請求項２のガスケット。
【請求項１６】
陽極で始まり陰極に終わる一連の構成部品を備えた電気脱塩セルアセンブリにおいて、前記一連の構成部品にさらに濃縮区画に対し対になり交互になる脱塩区画から成り、前記陽極及び陰極の間に位置させた一連の対の区画を設け、前記各対の区画に、前記濃縮区画の陽極側に位置させた前記脱塩区画を設け、前記各対の区画を、前記の対の前側及び後ろ側の陰イオン膜と、これ等の陰イオン膜間の中央に位置させた前記陽イオン膜のうちの１つの膜とにより形成し、前記陰イオン膜を、前記脱塩区画の陽極側と、前記各濃縮区画の陰極側とに位置させ、前記陽イオン膜を、前記脱塩区画の前記陰極側と前記各濃縮区画の前記陽極側とに位置させ、活性区域であって、この活性区域内に流路部分を形成するすきまを隔離するガスケット材料から成るリブにより形成した活性区域を持つガスケットを前記各区画に設け、前記流路部分を、制限部分により互いに接合して２つの端部間に延びる少なくとも１つの連続流路を形成し、この連続流路にイオン交換材料を詰め又は、この連続流路を支持メッシュにより覆い、前記連続流路の２つの前記各端部で前記ガスケットに形成した少なくとも１個のマニホルド穴と、これ等のマニホルド穴を前記連続流路の各別に協働する端部に結合する口手段とを備えて成る電気脱塩セルアセンブリ。
【請求項１７】
前記イオン交換材料を陽イオン樹脂ビードと、陰イオン樹脂ビードと、混合の樹脂ビードと、樹脂ビードを含む編みフェルトとイオン交換サイトを含む微小孔性フェルトと、樹脂ビードを含む編み布と、樹脂ビードを含む微小孔性布とから成る群から選定した請求項１６の電気脱塩セルアセンブリ。
【請求項１８】
前記ガスケットが均一な厚さを持ち、前記口手段に、前記の均一な厚さより厚くない厚さを持つ板を設け、この板に複数個の貫通穴を設け、前記貫通穴が前記マニホルド穴を前記連続流路に連結する位置において、前記口を前記ガスケット内に位置させることにより、前記マニホルド穴の１つに入る流体が、前記口のうちの１つの口と、前記連続流路と、前記口のうちの別の口とを経て流れ、前記マニホルド穴のうちの別の穴からでるようにし、前記口により前記各樹脂ビードが出るのを阻止するようにした請求項１６の電気脱塩セルアセンブリ。
【請求項１９】
前記陽極、陰極、膜及びガスケットを、前記電気脱塩セルアセンブリを形成するように、前記スタック内で互いに整合させて組立て、前記スタックを通って流れる流体用の導管を形成するように、前記マニホルド穴を前記スタック内で互いに整合させた請求項１８の電気脱塩セルアセンブリ。
【請求項２０】
前記連続流路に、この連続流路を通る流体の流れの乱れを促進する制限部分を設けた請求項１６の電気脱塩セルアセンブリ。
【請求項２１】
前記流れ制限部分が、前記流れ流路部分の幅の役２０ないし９０％の流路を形成する幅を持つようにした請求項１６の電気脱塩セルアセンブリ。
【請求項２２】
電気脱塩セルを形成するガスケットのスタックにおいて、（イ）活性区域に詰めたイオン交換材料を持ち、前記スタックを形成するために向き合わせの関係に密封した複数のガスケットと、（ロ）前記活性区域を隔離する陽イオン交換膜及び陰イオン交換膜と、（ハ）前記スタックを貫いて延びる少なくとも１対の導管であって、前記ガスケット及び膜内の互いに整合したマニホルド穴と、前記１対の導管のうちの一方の導管に前記活性区域を連結する流入口と、前記１対の導管のうちの他方の導管に前記活性区域を連結する流出口とにより形成された導管と、（ニ）前記一方の導管及び活性区域を通り前記導管の他方のからでるように流体を駆動する駆動手段と、（ホ）前記活性区域内に設けられ、この活性区域内の前記流体の配分を改良する手段とを包含するガスケットのスタック。
【請求項２３】
前記マニホルド穴のうち少なくとも４個のマニホルド穴は互いに整合して２対の前記導管を形成するようにし、前記各ガスケットを対にして前記各導管に連結し、前記各対のガスケットのうちの一方のガスケットを前記導管のうちの第１の対に連結し、前記各対のガスケットのうちの他方のガスケットを前記ガスケットのうちの他方の対に連結した請求項２２のガスケットのスタック。
【請求項２４】
前記活性区域をガスケット材料により分割して前記活性区域を通る屈曲路を形成するようにした請求項２３のガスケットのスタック。
【請求項２５】
電気脱塩セルスタックに使う改良されたガスケットにおいて、水溶液を前記ガスケット内に供給し、前記ガスケットから外に除去するマニホルド穴及び口と、前記電気脱塩セルスタック内の他のガスケットへの導管又は溶液流れとして作用するマニホルド穴とを備え、ガスケット内部に１つ又は複数の連続流路を形成するように互いに連結した多数の流路を設けた活性区域を持ち、均一な厚さを備えたガスケットにおいて、前記各流路の幅を２ないし８インチとしこれ等の各流路を１８０°の曲がり部を形成する箇所において流れ制限部分により互いに連結し、１つの前記連続流路ごとに最大４個のマニホルド穴を設け、前記各連続流路にさらに流体入口用の口と流体出口用の第２の口とを設け、前記各口が実質的に互いに同じ厚さを持つが、前記ガスケットのこわさより一層高いこわさを持ち、流体流れ用の１つ又は複数の流路を間に形成した実質的に扁平な上面及び下面を備え、前記連続流路及び連結用の流れ制限部分に、組立てられた前記セルスタック内部に取付けたときに、イオン交換材料を詰め、前記各口により前記活性区域内に前記イオン交換材料を保持することができるようにした改良されたガスケット。
【請求項２６】
前記ガスケットが均一な厚さを持ち、前記口手段に、フィルムと不織ネットの交互の層を持つ複合口であって前記均一な厚さより厚くない厚さを持つ板の形の複合口を設け、この板に複数個の貫通穴を設け、前記貫通穴が前記マニホルド穴を前記連続流路に連結する位置において、前記複合口を前記ガスケット内に位置させることにより、前記マニホルド穴の１つに入る流体が、前記複合口のうちの１つの複合口と、前記連続流路と、前記複合口のうちの別の複合口とを経て流れ、前記マニホルド穴のうちの別の穴からでるようにした請求項１６の電気脱塩セルアセンブリ。
【請求項２７】
水性溶液を脱塩するための請求項１、１６、２２又は２５のいずれか１項の電気脱塩セルにおいて、
前記イオン交換材料を、陽イオン樹脂ビードと、陰イオン樹脂ビードと、混合の樹脂ビードと、樹脂ビードを含む編みフェルトと、樹脂ビードを含む微小孔性フェルトと、樹脂ビードを含む編み布と、樹脂ビードを含む微小孔性布から成る群から選定して成る電気脱塩セル。
【請求項２８】
水性溶液を脱塩するための請求項１又は２５のいずれか１項の電気脱塩セルにおいて、
前記水性溶液が、デキストロース、フラクトース、しょ糖及びこれ等の混合物から成る群から選定した材料を含み、
前記イオン交換材料を、陽イオン樹脂ビードと、陰イオン樹脂ビードと、混合の樹脂ビードと、樹脂ビードを含む編みフェルトと、樹脂ビードを含む微小孔性フェルトと、樹脂ビードを含む編み布と、樹脂ビードを含む微小孔性布から成る群から選定した電気脱塩セル。
【請求項２９】
前記連続流路に、少なくとも前記濃縮区画の流路に流れの乱れを促進する部分を設けた請求項１６の電気脱塩セルアセンブリ。
【請求項３０】
電気脱塩セルスタックに使用するガスケットであって、均一な厚さと、水溶液を前記ガスケット内に供給しかつこのガスケットから外に除去するマニホルド穴及び口とを持つガスケットにおいて、前記マニホルド穴の少なくとも若干により前記セルスタック内の他のガスケットに溶液を直接流れさせる導管を形成し、１つの連続流路に対する前記マニホルド穴の個数を最高で４個とし、前記ガスケットの活性区域に、このガスケットの内部に少なくとも１つの連続流路を形成するように、流れ制限部分により互いに連結した多数の流路部分を設け、これ等の各流路部分が、前記各流れ制限部分の幅より大きい幅を持ち、これ等の各流れ制限部分により前記連続流路を通って流れる流体の速度を、前記流れ制限部分内の前記流体の速度の約50ないし100％に減少させ、前記各連続流路は、前記各口のうちで前記連続流路への流体入口を形成する第１の口と、前記連続流路からの流体出口を形成する第２の口とを持ち、前記各口は前記ガスケットの厚さと実質的に同じ厚さを持ち、前記口は、少なくとも１つの流体流路を間に持つ実質的に扁平な上面及び下面と、前記連続流路の流路部及び連結用の前記流れ制限部分に詰めたイオン交換材料とを備えて成るガスケット。
【請求項３１】
前記ガスケットは、互いに異なる厚さを持つ希釈物セル及び濃縮物セルを形成する請求項１０のシステム。
【請求項３２】
前記脱塩区画を形成する前記ガスケットは、第１の厚さを備え、前記濃縮区画を形成するガスケットは、前記第１の厚さとは異なる厚さを備えた請求項１６の電気脱塩セルアセンブリ。